(57)【要約】【課題】軽量で人力による運搬及び取扱いが容易なチタン製の海苔採集船を提供する。【解決手段】薄板チタン材の面板を上下面に配置し、芯材に独立気泡発泡材を配して組み合わせた接着サンドイッチパネルで船体構造を構成し、船底の船内側の床面及び船外側を平滑にして船の陸揚げ及び母船への揚げ降ろしを容易にし、船底の最外層の面板が破損しても船内側の面板で水の船内への流入防止及び船内の海苔の船外流出防止、接着サンドイッチパネルを構成する独立気泡発泡材が浮きの役目の一端を担う構造とする。これによれば、海苔採集船が軽量で平滑な船底のため人力による陸揚げ運搬が容易になり、船内の床面が平滑であるため海苔採集時、安全に作業できる。また、船底が独立気泡発泡材を芯材としたサンドイッチパネル構造のため最外層の底板が破損しても浸水と海苔の流出が防げる。【選択図】 図１
2005349847.tif 000002
【特許請求の範囲】
【請求項１】
チタン製の海苔採集船であって、薄板チタン材を面板として上下面に配置し、芯材に独立気泡発泡材を配して組み合わせた接着サンドイッチパネルで剛性のある船体構造を構成することを特徴とする海苔採集船。
【請求項２】
請求項１の海苔採集船において、船底の船内側の床面及び船外側を平滑とし、船底の最外層の板が破損しても船内側の板で水の船内への流入防止及び船内の海苔の船外流出防止、並びに船の陸揚げ及び母船へに揚げ降ろしを容易にしたことを特徴とする海苔採集船。
【請求項３】
請求項１の海苔採集船において、接着サンドイッチパネルを構成する独立気泡発泡材が浮きの役目の一端を担うことを特徴とする海苔採集船。
【発明の詳細な説明】
【技術分野】
【０００１】
本発明は、チタン材の平板を利用して製作する海苔採集船に関するものである。
【背景技術】
【０００２】
従来のチタン製海苔採集船１′、１″は、図５から図７に示す成形リブ付きと、図８から図１１に示す補強リブ付きがある。
【０００３】
このうち図５に示した成形リブ付きチタン製海苔採集船１′は、図６及び図７にそれぞれ図５のｄ−ｄ視断面図、図６のｅ−ｅ視断面図を示すように、船底を一枚のチタン材に凹凸の成形リブ９を設け、さらに船底の成形リブ９と直角方向の剛性向上を図るため船内側に補強リブ１０を取付け構成している。また、船内の両側及び前後の端部にはチタン材製の浮き板２で浮き室３、浮き室４を設けている。
【０００４】
一方、図８に示した補強リブ付きチタン製海苔採集船１″は、図９に図８のｈ−ｈ視断面図、図１０に図９のｊ−ｊ視図、図１１に図１０のｇ−ｇ断面図を示すように、船底を一枚のチタン材の平板とし、船底の船外側に横補強リブ１１及び縦補強リブ１２を配設して船底の剛性を確保している。また、図５に示した成形リブ付きチタン製海苔採集船１′と同様に船内の両側及び前後の端部にはチタン材製の浮き板２で浮き室３、浮き室４を設けている。
【特許文献１】なし
【非特許文献１】なし
【発明の開示】
【発明が解決しようとする課題】
【０００５】
従来のチタン製海苔採集船は、軽量化のため一枚の薄板に補強を目的とした成形リブを設けたり、平板に補強用リブを取付けて船体に必要な剛性を確保する構造となっており、このうち成形リブを設ける構造では船内の床面及び船外の船底に凹凸ができ、海苔採取の作業時において、作業者の足元が不安定となり安全上の問題が発生していた。また、船底の船外側に横補強リブ１１及び縦補強リブ１２配設して船底の剛性を確保する構造では、海苔採集船を人力で陸揚げする場合、船外の船底の突起及び重量により一人或いは二人等の少人数による作業が困難になる等の問題があった。さらに、両構造に共通する課題として、船底が岩などに衝突した時、船底が一枚板のため破損し易く、また破損した場合、船外から水が流入、海苔が破損部から船外に流出する構造になっていた。更に、船の転覆防止と安定化のための適切な容量の浮きを船の外周に設ける必要があり、そのため船の公称外形寸法に対して実質の積載スペースが小さくなり、作業スペース及び海苔採取量の確保の点で課題が発生していた。
【０００６】
本発明の目的は、チタン製海苔採集船において、船体の軽量化を図ると共に、陸揚げ降ろし時の抵抗の低減、海苔採集作業時における足元の不安定さの改善、岩などに衝突した時の破損による浸水防止及び海苔の船外への流出防止、海苔採集船の転覆防止と船の安定化のため周囲に配置した浮きの容積を削減して同一サイズにおける船内作業スペースの拡大を図ることである。
【課題を解決するための手段】
【０００７】
上記の目的は、チタン製の海苔採集船において、船体構造を薄板チタン材の面板を上下面に配置し、芯材に独立気泡発泡材を配して組み合わせた接着サンドイッチパネルで船体構造を構成し、船底の船内側の床面及び船外側を平滑とし、船底の最外層の板が破損しても船内側の板で水の船内への流入防止及び船内の海苔の船外流出防止、並びに船の陸揚げ及び母船への揚げ降ろしを容易にし、接着サンドイッチパネルを構成する独立気泡発泡材が浮きの役目の一端を担う構造とすることによって達成される。
【発明の効果】
【０００８】
上記構造の海苔採集船にすることにより、軽量で平滑な船底のため人力による陸揚げ運搬が容易になり、船内の床面が平滑であるため海苔採集時、安全に作業でき、船底が独立気泡発泡材を芯材としたサンドイッチパネル構造のため最外層の底板が破損しても浸水と海苔の流出が防げる。また、船体を構成するサンドイッチパネルの独立気泡発泡材が浮きの役目を担うため、従来構造と比較して独立気泡発泡材の容積相当だけ浮き室を縮小することができ、船内における作業性の向上及び海苔の積載容積を大きくすることが出来る。
【発明を実施するための最良の形態】
【０００９】
発明の実施の形態を実施例に基づき図面を参照し説明する。
【実施例１】
【００１０】
本発明の一実施例を図１乃至図４により説明する。図１は本発明の海苔採集船を上から見た平面図、図２は図１のａ−ａ視断面図、図３は図１のｂ−ｂ視断面図、図４は図２のｃ−ｃ視断面図である。
【００１１】
図１乃至図４において、１は海苔採集船の本体であり、薄板チタン材製面板を上及び下面にそれぞれ船内側床面板５及び船外側船底面板６として配置し、芯材に独立気泡発泡材７を配し、接着剤８で接合、組み合わせた接着サンドイッチパネルで構成する。海苔採集船１の前後位置及び左右の側位置には、薄板チタン材製の浮き板２を船本体１と組み合わせて浮き室３、側浮き室４を構成する。ここで、浮き室３及び側浮き室４の必要な容積は、独立気泡発泡材７が浮体として作用するため、その容積を併せて設定する。
【００１２】
本発明は以上説明したように構成されているので、以下に記載したような効果を奏する。本実施例によれば、船の床面はチタン薄板を面板とし、軽量で独立気泡発泡材を芯材としたサンドイッチ接着構造となり、軽量、高剛性で船底が船内側及び船外側とも平滑となる。海苔採集船は軽量で、船底が平滑になれば人力で容易に陸揚げ、降ろしの運搬が容易になる。また、海苔採集船は、船内で床面が平滑で足元の凹凸を無くなり、海苔採集作業時、安全に作業を行うことができるようになる。また、船内の床面を平滑とすることにより、海苔を採集船から吸引により他容器に移し換えることが容易に効率よく行うことができる。
【００１３】
浮き室３及び側浮き室４の容積は、独立気泡発泡材７が水を吸収せず、その容積に相当する量が浮きの役目の機能を有する。このため、海苔採集船は、従来構造と同等の容積を確保する場合、浮き室の容積が独立気泡発泡材７の容積相当分を縮小できるため、船内の作業スペースを拡大して作業の効率及び安全性を向上させることができると共に、船全体を軽量化することができる。また、船全体の軽量化により、海苔採集作業時の海苔積載量を増加させることが可能となる。
【００１４】
また、海苔採集船が、例えば岩などに衝突して船底が破損した場合においても、船底が二重構造であり、船内側の上板まで破損しなければ浸水することがなく、船外からの浸水及び船内からの海苔の流出が防げる。
【産業上の利用可能性】
【００１５】
以上述べたように、本発明によれば、海苔採集作業に用いる採集船を軽量にし、船底を平滑にすることにより人力による運搬取扱いが容易になり、更に、船底が独立気泡発泡材を芯材としたサンドイッチ構造であり、底板が破損しても浸水や海苔の流出が防げ、床面も平滑になるので安全に作業することができるなど、取扱いが容易で海苔採集作業の安全性を向上した海苔採集船を提供することが出来る。
【図面の簡単な説明】
【００１６】
【図１】本発明の一実施例を示す海苔採集船の上面図である。
【図２】本発明による海苔採集船の断面図で、図１のａ−ａ視断面図である。
【図３】本発明による海苔採集船の断面図で、図１のｂ−ｂ視断面図である。
【図４】本発明による海苔採集船の部分断面図で、図２のｃ−ｃ視断面図である。
【図５】従来のチタン船の一例で、成形リブ付き構造の上面図である。
【図６】従来チタン船の部分断面図で、図５のｄ−ｄ視断面図である。
【図７】従来チタン船の部分断面図で、図６のｅ−ｅ視断面図である。
【図８】従来のチタン船の一例で、補強リブ付き構造の上面図である。
【図９】従来チタン船の断面図で、図８のｈ−ｈ視断面図である。
【図１０】従来チタン船を下面から見た平面図で、図９のｊ−ｊ視図である。
【図１１】従来チタン船の部分断面図で、図１０のｇ−ｇ視断面図である。
【符号の説明】
【００１７】
１    船本体
１′  成形リブ付き船本体
１″  補強リブ付き船本体
２    浮き板
３    浮き室
４    側浮き室
５    床面板
６    船底面板
７    独立気泡発泡材
８    接着剤
９    成形リブ
１０  補強リブ
１１  横補強リブ
１２  縦補強リブ
【図１】
2005349847.tif 000003
【図２】
2005349847.tif 000004
【図３】
2005349847.tif 000005
【図４】
2005349847.tif 000006
【図５】
2005349847.tif 000007
【図６】
2005349847.tif 000008
【図７】
2005349847.tif 000009
【図８】
2005349847.tif 000010
【図９】
2005349847.tif 000011
【図１０】
2005349847.tif 000012
【図１１】
2005349847.tif 000013